(57)【特許請求の範囲】
【請求項１】
紙葉類を１枚ずつ取り込む取込部と、
前記取込部から取り込まれた紙葉類を搬送する搬送部と、
前記搬送部によって搬送された複数の紙葉類の各々をテープで挟み込んで収納するテープリール式収納部と、
紙葉類の方向は考慮せずに紙葉類の表裏のみを条件として、又は紙葉類の表裏は考慮せずに紙葉類の方向のみを条件として決定される第１カテゴリに含まれる姿勢で紙葉類を前記テープリール式収納部に収納させ、前記第１カテゴリに含まれる姿勢で前記テープリール式収納部に収納された紙葉類の枚数が予め設定された枚数になったときに、紙葉類の方向は考慮せずに紙葉類の表裏のみを条件として、又は紙葉類の表裏は考慮せずに紙葉類の方向のみを条件として決定される第２カテゴリに含まれる姿勢で紙葉類を前記テープリール式収納部に収納させるよう、前記搬送部を制御する制御部と、
を備えたことを特徴とする紙葉類処理装置。
【請求項２】
前記搬送部で搬送される紙葉類の表裏又は方向に関する情報を取得する識別センサをさらに備え、
前記制御部は、前記識別センサで取得された情報に基づいて前記搬送部を制御することで、前記第１カテゴリに含まれる姿勢で前記テープリール式収納部に紙葉類を収納させ、かつ、前記第２カテゴリに含まれる姿勢で前記テープリール式収納部に紙葉類を収納させることを特徴とする請求項１に記載の紙葉類処理装置。
【請求項３】
前記紙葉類処理装置はセキュリティスレッドを有する紙葉類を処理することができ、
前記第１カテゴリに含まれる姿勢で前記テープリール式収納部に収納される紙葉類と、前記第２カテゴリに含まれる姿勢で前記テープリール式収納部に収納される紙葉類は、前記テープリール式収納部において紙葉類のセキュリティスレッドの位置が重ならないことを特徴とする請求項１または２に記載の紙葉類処理装置。
【請求項４】
前記紙葉類処理装置は隆起印刷を有する紙葉類を処理することができ、
前記第１カテゴリに含まれる姿勢で前記テープリール式収納部に収納される紙葉類と、前記第２カテゴリに含まれる姿勢で前記テープリール式収納部に収納される紙葉類は、前記テープリール式収納部において紙葉類の隆起印刷の位置が重ならないことを特徴とする請求項１乃至３のいずれか１項に記載の紙葉類処理装置。
【請求項５】
少なくとも表裏又は方向の揃った紙葉類を結束して紙葉類束を生成する結束部と、
前記結束部で結束された前記紙葉類束を搬送する結束後搬送部と、
前記結束後搬送部で搬送された前記紙葉類束を収納する紙葉類束集積部と、
紙葉類の方向は考慮せずに紙葉類の表裏のみを条件として、又は紙葉類の表裏は考慮せずに紙葉類の方向のみを条件として決定される第１カテゴリに含まれる姿勢で紙葉類束を前記紙葉類束集積部に収納させ、前記第１カテゴリに含まれる姿勢で前記紙葉類束集積部に収納された紙葉類束の本数が予め設定された本数になったときに、紙葉類の方向は考慮せずに紙葉類の表裏のみを条件として、又は紙葉類の表裏は考慮せずに紙葉類の方向のみを条件として決定される第２カテゴリに含まれる姿勢で紙葉類束を前記紙葉類束集積部に収納させるよう、前記結束後搬送部を制御する制御部と、
を備えたことを特徴とする紙葉類処理装置。
【発明の詳細な説明】
【技術分野】
【０００１】
本発明は、複数の紙葉類を収納部に収納する紙葉類処理装置に関する。
【背景技術】
【０００２】
従来から、搬送紙幣を短手方向に反転可能にする短手反転部と、搬送紙幣を長手方向に反転可能にする長手反転部とを有する紙幣反転部を備えた紙幣処理装置（特許文献１参照）が知られており、当該紙幣処理装置によれば、複数の紙幣の表裏及び方向を揃えて、集積部で集積することができる。
【０００３】
しかしながら、特許文献１に記載された紙幣処理装置を用いる場合でも、載置部に載置された複数の紙幣の全ての表裏及び方向を揃えることができるだけなので、例えば１００枚毎の単位で紙幣の表裏及び方向を揃えたい場合には、集積部に１００枚の紙幣が集積された時点で搬送を停止し、集積される紙幣の表裏及び方向を変更し、再び搬送を開始して集積部に紙幣を集積する必要があった。あるいは、複数の集積部毎に、異なる表裏又は方向の紙幣が集積されるように設定し、集積部に１００枚の紙幣が集積された時点で搬送を停止し、オペレータが自らの手で１００枚ずつの紙幣を集積部から抜き取り、束ねる必要があった。
【０００４】
ところで、セキュリティスレッドや隆起印刷を有する紙葉類を収納部で収納する場合には、紙葉類の表裏及び方向を揃えて収納すると、収納部で各紙葉類のセキュリティスレッドや隆起印刷が重なり合うことになる。この結果、収納部に収納された紙葉類の厚みが一部分で厚くなってしまい、様々な不都合が生じる。例えば、収納部が紙葉類を集積する集積部からなる場合には、厚みが一部分で厚くなった状態で紙葉類が集積部で集積されることとなる。このような紙葉類をそのままＡＴＭ等の紙葉類操出装置内に装填すると、ＡＴＭ等の紙葉類操出装置からスムーズに紙葉類を繰り出すことができなくなってしまうことがある。また、収納部がテープリール式収納部からなる場合には、紙葉類を挟み込んだテープリール式収納部のテープ部分がその幅方向の一部分で厚くなってしまう。
【先行技術文献】
【特許文献】
【０００５】
【特許文献１】国際公開公報２０１０／０９７９５４号
【発明の概要】
【発明が解決しようとする課題】
【０００６】
以上のような点に鑑み、本発明は、収納部に収納される紙葉類の表裏又は方向を所定の枚数で自動的に変更することのできる紙葉類処理装置を提供する。
【課題を解決するための手段】
【０００７】
本発明の紙葉類処理装置は、
紙葉類を１枚ずつ取り込む取込部と、
前記取込部から取り込まれた紙葉類を搬送する搬送部と、
前記搬送部によって搬送された複数の紙葉類を収納する収納部と、
紙葉類の表裏又は方向を条件として決定される第１カテゴリに含まれる姿勢で紙葉類を前記収納部に収納させ、前記第１カテゴリに含まれる姿勢で前記収納部に収納された紙葉類の枚数が予め設定された枚数になったときに、紙葉類の表裏又は方向を条件として決定される第２カテゴリに含まれる姿勢で紙葉類を前記収納部に収納させるよう、前記搬送部を制御する制御部と、
を備える。
【０００８】
本発明の紙葉類処理装置は、
前記搬送部で搬送される紙葉類の表裏又は方向に関する情報を取得する識別センサをさらに備え、
前記制御部が、前記識別センサで取得された情報に基づいて前記搬送部を制御することで、前記第１カテゴリに含まれる姿勢で前記収納部に紙葉類を収納させ、かつ、前記第２カテゴリに含まれる姿勢で前記収納部に紙葉類を収納させてもよい。
【０００９】
本発明の紙葉類処理装置において、
前記制御部は、紙葉類の表裏を条件として決定される第１カテゴリに含まれる姿勢で紙葉類を前記収納部に収納させ、前記第１カテゴリに含まれる姿勢で前記収納部に収納された紙葉類の枚数が予め設定された枚数になったときに、紙葉類の表裏を条件として決定される第２カテゴリに含まれる姿勢で紙葉類を前記収納部に収納させるよう、前記搬送部を制御してもよい。
【００１０】
本発明の紙葉類処理装置において、
前記制御部は、紙葉類の方向を条件として決定される第１カテゴリに含まれる姿勢で紙葉類を前記収納部に収納させ、前記第１カテゴリに含まれる姿勢で前記収納部に収納された紙葉類の枚数が予め設定された枚数になったときに、紙葉類の方向を条件として決定される第２カテゴリに含まれる姿勢で紙葉類を前記収納部に収納させるよう、前記搬送部を制御してもよい。
【００１１】
本発明の紙葉類処理装置において、
前記制御部は、紙葉類の表裏及び方向を条件として決定される第１カテゴリに含まれる姿勢で紙葉類を前記収納部に収納させ、前記第１カテゴリに含まれる姿勢で前記収納部に収納された紙葉類の枚数が予め設定された枚数になったときに、紙葉類の表裏及び方向を条件として決定される第２カテゴリに含まれる姿勢で紙葉類を前記収納部に収納させるよう、前記搬送部を制御してもよい。
【００１２】
本発明の紙葉類処理装置において、
前記紙葉類処理装置はセキュリティスレッドを有する紙葉類を処理することができ、
前記第１カテゴリに含まれる姿勢で前記収納部に収納される紙葉類と、前記第２カテゴリに含まれる姿勢で前記収納部に収納される紙葉類は、前記収納部において紙葉類のセキュリティスレッドの位置が重ならなくてもよい。
【００１３】
本発明の紙葉類処理装置において、
前記紙葉類処理装置は隆起印刷を有する紙葉類を処理することができ、
前記第１カテゴリに含まれる姿勢で前記収納部に収納される紙葉類と、前記第２カテゴリに含まれる姿勢で前記収納部に収納される紙葉類は、前記収納部において紙葉類の隆起印刷の位置が重ならなくてもよい。
【００１４】
本発明の紙葉類処理装置において、
前記収納部は、各紙葉類をテープで挟み込んで収納するテープリール式収納部であってもよい。
【００１５】
本発明の紙葉類処理装置において、
前記収納部は、各紙葉類を集積して収納する集積部であってもよい。
【００１６】
本発明の紙葉類処理装置において、
前記集積部は、結束用の紙葉類を収納するための結束用紙葉類集積部であってもよい。
【００１７】
本発明の別の態様の紙葉類処理装置は、
少なくとも表裏又は方向の揃った紙葉類を結束して紙葉類束を生成する結束部と、
前記結束部で結束された前記紙葉類束を搬送する結束後搬送部と、
前記結束後搬送部で搬送された前記紙葉類束を収納する紙葉類束集積部と、
紙葉類の表裏又は方向を条件として決定される第１カテゴリに含まれる姿勢で紙葉類束を前記紙葉類束集積部に収納させ、前記第１カテゴリに含まれる姿勢で前記紙葉類束集積部に収納された紙葉類束の本数が予め設定された本数になったときに、紙葉類の表裏又は方向を条件として決定される第２カテゴリに含まれる姿勢で紙葉類束を前記紙葉類束集積部に収納させるよう、前記結束後搬送部を制御する制御部と、
を備える。
【発明の効果】
【００１８】
本発明によれば、制御部が、紙葉類の表裏又は方向を条件として決定される第１カテゴリに含まれる姿勢で紙葉類を収納部に収納させ、第１カテゴリに含まれる姿勢で収納部に収納された紙葉類の枚数が予め設定された枚数になったときに、紙葉類の表裏又は方向を条件として決定される第２カテゴリに含まれる姿勢で紙葉類を収納部に収納させるよう、搬送部を制御する。このため、収納部に収納される紙葉類の表裏又は方向を所定の枚数で自動的に変更することができる。
【図面の簡単な説明】
【００１９】
【図１】図１は、本発明の実施の形態による紙葉類処理装置の斜視図である。
【図２】図２は、本発明の実施の形態による紙葉類処理装置の構成を示した概略構成図である。
【図３】図３は、本発明の実施の形態による紙葉類処理装置の機能ブロック図である。
【図４】図４は、本発明の実施の形態による紙葉類処理装置において、押出部を設けた態様を説明するための側方断面図である。
【図５】図５は、短手方向に沿って直線状のセキュリティスレッドを有する紙葉類を処理する際のカテゴリについて説明するための図である。
【図６】図６は、長手方向に沿って直線状のセキュリティスレッドを有する紙葉類を処理する際のカテゴリについて説明するための図である。
【図７】図７は、本発明の実施の形態による紙葉類処理装置によって、セキュリティスレッドを有する紙葉類を集積させた際の様子を示した側方図である。
【図８】図８は、従来の紙葉類処理装置によって、セキュリティスレッドを有する紙葉類を集積させた際の様子を示した側方図である。
【図９】図９は、本発明の実施の形態による紙葉類処理装置で用いることができる、テープリール式収納部の内部上面図である。
【図１０】図１０は、本発明の実施の形態による紙葉類処理装置で用いることができる、テープリール式収納部の内部側面図である。
【図１１】図１１は、本発明の実施の形態による紙葉類処理装置で用いることができる、テープリール式収納部の要部斜視図である。
【発明を実施するための形態】
【００２０】
実施の形態
《構成》
以下、本発明に係る紙葉類処理装置の実施の形態について、図面を参照して説明する。ここで、図１乃至図１１は本発明の実施の形態を説明するための図である。ところで、本願における「紙葉類」とは、紙幣、小切手、商品券等のことを意味するが、代表的なものとしては紙幣を意味する。
【００２１】
図２に示すように、本実施の形態の紙葉類処理装置１００は、筐体１と、筐体１に設けられて複数の紙葉類を載置するための載置部１１と、載置部１１に載置された紙葉類を１枚ずつ取り込む取込部１０と、取込部１０から筐体１内に取り込まれた各紙葉類を搬送する搬送部７０と、搬送部７０によって搬送された紙葉類を集積する複数の集積部６０ａ−６０ｄと、集積部６０ａ−６０ｄに集積されない紙葉類をリジェクトするリジェクト部６１ａ，６１ｂと、を備えている。なお、本実施の形態では、収納部が、各紙葉類を集積して収納する集積部６０ａ−６０ｄとなる態様を用いて説明する。
【００２２】
また、図２に示すように、搬送部７０には、搬送部７０で搬送される紙葉類を適宜分岐するための複数の分岐部材７１が設けられている。また、搬送部７０には、搬送部７０を通過する紙葉類を検知するための複数の通過センサ７２が設けられている。
【００２３】
本実施の形態の紙葉類処理装置１００は、紙葉類を反転させる紙葉類反転部９０，９５も備えている。この紙葉類反転部９０，９５は、搬送部７０で紙葉類を短手方向に搬送した場合、搬送されている紙葉類をその短手方向の向きが逆向きになるように表裏反転させる短手反転部９５と、搬送部７０で搬送されている紙葉類をその長手方向の向きが逆向きになるように表裏反転させる長手反転部９０とを有している。なお、これら短手反転部９５及び長手反転部９０で紙葉類を反転させる方法の詳細についてはＷＯ２０１０／０９７９５４号に開示されていることから、詳細な説明は省略する。
【００２４】
また、本実施の形態の紙葉類処理装置１００は、紙葉類結束装置２００も備えている。この紙葉類結束装置２００は、搬送部７０で搬送された結束用の紙葉類を集積して収納するための結束用紙葉類集積部２１０ａ−２１０ｃと、結束用の紙葉類を結束して紙葉類束を生成するための結束部２５０と、結束用紙葉類集積部２１０ａ−２１０ｃから結束部２５０に結束用の紙葉類を搬送するための結束前搬送部２２０と、結束された紙葉類束を収納する紙葉類束集積部２６０と、結束部２５０から紙葉類束集積部２６０に紙葉類束を搬送するための結束後搬送部２７０とを有している。なお、紙葉類束集積部２６０に収納された紙葉類束は、当該紙葉類束集積部２６０によって、後述する束放出口２８０に放出することができる。
【００２５】
図１に示すように、紙葉類結束装置２００は、紙葉類束をオペレータ側に放出する束放出口２８０と、取引終了時に結束用紙葉類集積部２１０ａ−２１０ｃに集積されている端数の紙葉類をオペレータに放出する端数返却口２８５とを有している。
【００２６】
図２に示すように、結束前搬送部２２０は、結束用紙葉類集積部２１０ａ−２１０ｃに集積された紙葉類を把持するハンド部２２１と、ハンド部２２１を前後方向（水平方向）に移動させる水平移動機構２２２と、ハンド部を上下方向（垂直方向）に移動させる垂直移動機構２２３とを有している。
【００２７】
結束後搬送部２７０は、結束部２５０で結束された紙葉類束を把持搬送する把持搬送部２７１と、把持搬送部２７１で把持搬送された紙葉類束を上方に搬送する紙葉類束リフト部２７２と、この紙葉類束リフト部２７２で搬送された紙葉類束を束放出口２８０の方向（装置正面方向）に押し出す押出機構２７５と、を有している。
【００２８】
結束部２５０は、把持搬送部２７１で把持された例えば１００枚の紙葉類に結束帯を巻き掛け、当該結束帯を止めることで、紙葉類を結束して紙葉類束とする。
【００２９】
本実施の形態の紙葉類処理装置は、紙葉類の表裏又は方向を条件として決定される第１カテゴリに含まれる姿勢で紙葉類をある集積部６０ａ−６０ｄに集積させ、第１カテゴリに含まれる姿勢で当該集積部６０ａ−６０ｄに集積された紙葉類の枚数が予め設定された枚数（例えば１００枚）になったときに、紙葉類の表裏又は方向を条件として決定される第２カテゴリに含まれる姿勢で紙葉類を当該集積部６０ａ−６０ｄに集積させるよう、搬送部７０を制御する制御部５０（図３参照）も備えている。
【００３０】
図２に示すように、本実施の形態の紙葉類処理装置は、搬送部７０で搬送される紙葉類の表裏又は方向に関する情報を取得する識別センサ５５をさらに備えている。そして、制御部５０は、識別センサ５５で取得された情報に基づいて搬送部７０を制御することで、第１カテゴリに含まれる姿勢で集積部６０ａ−６０ｄに紙葉類を集積させ、かつ、第２カテゴリに含まれる姿勢で集積部６０ａ−６０ｄに紙葉類を集積させる。なお、本実施の形態では、識別センサ５５が設けられている態様を用いて説明するが、表裏及び／又は方向が定まった状態で紙葉類が載置部１１に載置される態様の場合には、識別センサ５５が必須の構成要素とはならない点については指摘しておく。
【００３１】
第１カテゴリ及び第２カテゴリの決定方法は様々あるが、第１の態様としては、紙葉類の「表裏」を条件として第１カテゴリ及び第２カテゴリを決定することができる。この場合には、制御部５０は、紙葉類の表裏を条件として決定される第１カテゴリに含まれる姿勢（例えば、紙葉類の表面が上方を向く姿勢）で紙葉類をある集積部６０ａ−６０ｄに集積させ、第１カテゴリに含まれる姿勢で当該集積部６０ａ−６０ｄに集積された紙葉類の枚数が予め設定された枚数（例えば１００枚）になったときに、紙葉類の表裏を条件として決定される第２カテゴリに含まれる姿勢（例えば、紙葉類の裏面が上方を向く姿勢）で紙葉類を当該集積部６０ａ−６０ｄに集積させるよう、搬送部７０を制御することとなる。
【００３２】
このような第１の態様においては、制御部５０は、第２カテゴリに含まれる姿勢で集積部６０ａ−６０ｄに集積された紙葉類の枚数が予め設定された枚数（例えば１００枚）になったときに、再び、第１カテゴリに含まれる姿勢（例えば、紙葉類の表面が上方を向く姿勢）で紙葉類を集積部６０ａ−６０ｄに集積させるよう、搬送部７０を制御することができる。
【００３３】
第２の態様としては、紙葉類の「方向」を条件として第１カテゴリ及び第２カテゴリを決定することができる。この場合には、制御部５０は、紙葉類の方向を条件として決定される第１カテゴリに含まれる姿勢（例えば、紙葉類の短辺が集積部６０ａ−６０ｄの左右方向と平行となる状態で集積する場合、紙葉類の上方向が右側を向く姿勢）で紙葉類をある集積部６０ａ−６０ｄに集積させ、第１カテゴリに含まれる姿勢で当該集積部６０ａ−６０ｄに集積された紙葉類の枚数が予め設定された枚数（例えば１００枚）になったときに、紙葉類の方向を条件として決定される第２カテゴリに含まれる姿勢（例えば、紙葉類の上方向が左側を向く姿勢）で紙葉類を当該集積部６０ａ−６０ｄに集積させるよう、搬送部７０を制御することとなる。
【００３４】
このような第２の態様においては、制御部５０は、第２カテゴリに含まれる姿勢で集積部６０ａ−６０ｄに集積された紙葉類の枚数が予め設定された枚数（例えば１００枚）になったときに、再び、第１カテゴリに含まれる姿勢（例えば、紙葉類の上方向が右側を向く姿勢）で紙葉類を集積部６０ａ−６０ｄに集積させるよう、搬送部７０を制御することができる。
【００３５】
第３の態様としては、紙葉類の「表裏及び方向」を条件として第１カテゴリ及び第２カテゴリを決定することができる。この場合には、制御部５０は、紙葉類の表裏及び方向を条件として決定される第１カテゴリに含まれる姿勢（例えば、紙葉類の表面が上方を向き、かつ、上方向が右側を向く姿勢）で紙葉類をある集積部６０ａ−６０ｄに集積させ、第１カテゴリに含まれる姿勢で当該集積部６０ａ−６０ｄに集積された紙葉類の枚数が予め設定された枚数（例えば１００枚）になったときに、紙葉類の表裏及び方向を条件として決定される第２カテゴリに含まれる姿勢（例えば、紙葉類の裏面が上方を向き、かつ、上方向が左側を向く姿勢）で紙葉類を当該集積部６０ａ−６０ｄに集積させるよう、搬送部７０を制御することとなる。
【００３６】
このような第３の態様においては、制御部５０は、第２カテゴリに含まれる姿勢で集積部６０ａ−６０ｄに集積された紙葉類の枚数が予め設定された枚数（例えば１００枚）になったときに、再び、第１カテゴリに含まれる姿勢（例えば、紙葉類の表面が上方を向き、かつ、上方向が右側を向く姿勢）で紙葉類を集積部６０ａ−６０ｄに集積させるよう、搬送部７０を制御することができるし、別のカテゴリに含まれる姿勢で紙葉類を集積部６０ａ−６０ｄに集積させるよう、搬送部７０を制御することもできる。
【００３７】
具体的には、制御部５０は、第２カテゴリに含まれる姿勢で集積部６０ａ−６０ｄに集積された紙葉類の枚数が予め設定された枚数（例えば１００枚）になったときに、第３カテゴリに含まれる姿勢（例えば、紙葉類の表面が上方を向き、かつ、上方向が左側を向く姿勢）で紙葉類を当該集積部６０ａ−６０ｄに集積させるよう、搬送部７０を制御することができる。
【００３８】
そして、制御部５０は、第３カテゴリに含まれる姿勢で集積部６０ａ−６０ｄに集積された紙葉類の枚数が予め設定された枚数（例えば１００枚）になったときに、再び、第１カテゴリ又は第２カテゴリに含まれる姿勢で紙葉類を集積部６０ａ−６０ｄに集積させるよう、搬送部７０を制御することができるし、さらに別のカテゴリに含まれる姿勢で紙葉類を集積部６０ａ−６０ｄに集積させるよう、搬送部７０を制御することもできる。
【００３９】
具体的には、制御部５０は、第３カテゴリに含まれる姿勢で集積部６０ａ−６０ｄに集積された紙葉類の枚数が予め設定された枚数（例えば１００枚）になったときに、第４カテゴリに含まれる姿勢（例えば、紙葉類の裏面が上方を向き、かつ、上方向が右側を向く姿勢）で紙葉類を当該集積部６０ａ−６０ｄに集積させるよう、搬送部７０を制御することができる。
【００４０】
そして、制御部５０は、第４カテゴリに含まれる姿勢で集積部６０ａ−６０ｄに集積された紙葉類の枚数が予め設定された枚数（例えば１００枚）になったときに、再び、第１カテゴリ、第２カテゴリ又は第３カテゴリに含まれる姿勢で紙葉類を集積部６０ａ−６０ｄに集積させるよう、搬送部７０を制御することができる。
【００４１】
本実施の形態の紙葉類処理装置は、セキュリティスレッドを有する紙葉類を処理することができる。そして、このようにセキュリティスレッドを有する紙葉類を処理する場合には、第１カテゴリに含まれる姿勢で集積部６０ａ−６０ｄに集積される紙葉類のセキュリティスレッドの位置と、第２カテゴリに含まれる姿勢で集積部６０ａ−６０ｄに集積される紙葉類のセキュリティスレッドの位置が、集積部６０ａ−６０ｄにおいて重ならないように、第１カテゴリ及び第２カテゴリを決定することができる。
【００４２】
また、本実施の形態の紙葉類処理装置は、紙葉類処理装置は隆起印刷を有する紙葉類を処理することもできる。そして、このように隆起印刷を有する紙葉類を処理する場合には、第１カテゴリに含まれる姿勢で集積部６０ａ−６０ｄに集積される紙葉類の隆起印刷の位置と、第２カテゴリに含まれる姿勢で集積部６０ａ−６０ｄに集積される紙葉類の隆起印刷の位置が、集積部６０ａ−６０ｄにおいて重ならないように、第１カテゴリ及び第２カテゴリを決定することができる。
【００４３】
なお、図３に示すように、制御部５０には、設定するカテゴリの内容や各カテゴリに割り振られる紙葉類の枚数等を自由に設定することができるカテゴリ設定部５１が接続されている。
【００４４】
本実施の形態では、集積部６０ａ−６０ｄの前方側が開口しているが、図４（ａ）−（ｃ）に示すように、集積部６０ａ−６０ｄ内に集積された所定枚数の紙葉類を前面側に押し出すことで紙葉類の位置をずらすことができる押出部６５が集積部６０ａ−６０ｄ内に設けられてもよい。この押出部６５は、紙葉類が集積されている際には紙葉類から退避した退避位置に位置づけられ（図４（ａ）及び（ｃ）参照）、紙葉類を前面側に押し出す際には押出位置に位置づけられる（図４（ｂ）参照）。このような押出部６５が設けられた態様では、カテゴリが変わる毎に集積部６０ａ−６０ｄ内で集積された紙葉類を押し出すことで、紙葉類の位置をずらすことができる。なお、押出部６５を水平方向の複数の位置に位置づけることができる場合には、３段以上の階段状に紙葉類を集積させることができる。
【００４５】
ところで、本実施の形態では、集積部６０ａ−６０ｄの前方側が開口した態様を用いて説明しているが、これに限られることはない。集積部６０ａ−６０ｄが筐体１に完全に覆われて開口していない態様であってもよい。
【００４６】
なお、本願における「予め設定された枚数」とは、上述したような「１００枚」のように複数枚であってもよいが、「１枚」でもよい点には留意が必要である。
【００４７】
《作用・効果》
次に、上述した構成からなる本実施の形態による作用・効果について説明する。
【００４８】
本実施の形態の制御部５０は、第１カテゴリに含まれる姿勢で紙葉類を集積部６０ａ−６０ｄのいずれかに集積させ、当該集積部６０ａ−６０ｄに第１カテゴリに含まれる姿勢で集積された紙葉類の枚数が予め設定された枚数になったときに、当該集積部６０ａ−６０ｄに第１カテゴリとは異なる第２カテゴリに含まれる姿勢で紙葉類を集積させるよう、搬送部７０を制御する。このため、集積部６０ａ−６０ｄに集積される紙葉類の表裏又は方向を所定の枚数で自動的に変更することができる。
【００４９】
すなわち、特許文献１に記載されているような従来の紙幣処理装置では、載置部に載置された複数の紙幣の全ての表裏及び方向を揃えることができるだけなので、例えば１００枚毎の単位で紙幣の表裏及び方向を揃えたい場合には、集積部に１００枚の紙幣が集積された時点で搬送を停止し、集積される紙幣の表裏及び方向を変更し、再び搬送を開始して集積部に紙幣を集積するか、あるいは、集積部毎に、異なる表裏又は方向の紙幣が集積されるように設定し、集積部に例えば１００枚の紙幣が集積された時点で搬送を停止し、オペレータが自らの手で集積された紙幣を集積部６０ａ−６０ｄから抜き取り、束ねる必要があった。
【００５０】
これに対して、本実施の形態によれば、第１カテゴリに含まれる姿勢で紙葉類を集積部６０ａ−６０ｄに集積させ、ある集積部６０ａ−６０ｄに第１カテゴリに含まれる姿勢で集積された紙葉類の枚数が予め設定された枚数（例えば１００枚）になったときに、当該集積部６０ａ−６０ｄに第２カテゴリに含まれる姿勢で紙葉類を集積させるよう、搬送部７０が制御される。そして、第１カテゴリ及び第２カテゴリは、紙葉類の表裏又は方向を条件として決定され、各々が異なる内容からなっている。このため、集積部６０ａ−６０ｄに集積される紙葉類の表裏又は方向を所定の枚数（例えば１００枚）で自動的に変更することができる。
【００５１】
また、本実施の形態では、搬送部７０で搬送される紙葉類の表裏又は方向に関する情報を取得する識別センサ５５が設けられている。そして、制御部５０が、識別センサ５５で取得された情報に基づいて、紙葉類が、ある集積部６０ａ−６０ｄ内で第１カテゴリに含まれる姿勢になるように搬送部７０を制御し、かつ、当該集積部６０ａ−６０ｄ内で第２カテゴリに含まれる姿勢になるように搬送部７０を制御する。このため、本実施の形態によれば、表裏や方向が混在した状態で紙葉類が載置部１１に載置されている場合であっても、ある集積部６０ａ−６０ｄに、第１カテゴリに含まれる姿勢の紙葉類を所定の枚数で集積させ、その紙葉類の上に、第２カテゴリに含まれる姿勢の紙葉類を所定の枚数で集積させることができる。
【００５２】
また、紙葉類の表裏を条件として第１カテゴリ及び第２カテゴリを決定する場合には（上述した「第１の態様」の場合には）、予め設定された枚数毎に紙葉類の表裏を変えることができ、紙葉類の枚数を容易に把握することができる。具体的には、第１カテゴリ及び第２カテゴリの各々に関して予め設定された枚数が同数（例えば１００枚）である場合を考えると、例えば、紙葉類はその表面が上方を向いて予め設定された枚数（例えば１００枚）集積され、その後、その裏面が上方を向いて１００枚集積されることとなる。このため、オペレータが表面が上方を向いて集積された紙葉類のみを取り出せば１００枚の紙葉類を取り出すことができ、表面が上方を向いて集積された紙葉類と裏面が上方を向いて集積された紙葉類の両方を取り出せば２００枚の紙葉類を取り出すことができる。
【００５３】
また、紙葉類の方向を条件として第１カテゴリ及び第２カテゴリを決定する場合には（上述した「第２の態様」の場合には）、予め設定された枚数毎に、紙葉類の方向を変えることができる。この場合にも、上述した「第１の態様」ほど容易ではないが、オペレータは紙葉類の枚数を把握することができる。
【００５４】
また、紙葉類の表裏及び方向を条件として第１カテゴリ及び第２カテゴリを決定する場合には（上述した「第３の態様」の場合には）、予め設定された枚数で、紙葉類の表裏及び方向を変えることができる。この場合にも、オペレータは紙葉類の枚数を容易に把握することができる。
【００５５】
また、このような「第３の態様」においては、第１カテゴリで紙葉類を集積して第２カテゴリで紙葉類を集積した後で、再び、予め設定された枚数で、第１カテゴリで紙葉類を集積することもできるが、第１カテゴリ及び第２カテゴリとは異なる第３カテゴリで、予め設定された枚数の紙葉類を集積することもできる。さらに、第３カテゴリで予め設定された枚数の紙葉類を集積した後で、再び、第１カテゴリ又は第２カテゴリで予め設定された枚数の紙葉類を集積することもできるが、第１カテゴリ、第２カテゴリ及び第３カテゴリのいずれとも異なる第４カテゴリで予め設定された枚数の紙葉類を集積することもできる。
【００５６】
なお、上述した「第１の態様」及び「第２の態様」においては、第１カテゴリで集積される予め設定された紙葉類の枚数と第２カテゴリで集積される予め設定された紙葉類の枚数は、同じ枚数であってもよいが、異なる枚数であってもよい。
【００５７】
また、上述した「第３の態様」においては、第１カテゴリで集積される予め設定された紙葉類の枚数、第２カテゴリで集積される予め設定された紙葉類の枚数、第３カテゴリで集積される予め設定された紙葉類の枚数及び第４カテゴリで集積される予め設定された紙葉類の枚数は、互いに異なっていてもよいし、これらのうちの任意の２つで同じ枚数になっていてもよいし、これらのうちの任意の３つで同じ枚数になっていてもよいし、これらの全てにおいて同じ枚数になっていてもよい。
【００５８】
本実施の形態によれば、紙葉類処理装置がセキュリティスレッドを有する紙葉類を処理するときには、第１カテゴリに含まれる姿勢で集積部６０ａ−６０ｄに集積される紙葉類のセキュリティスレッドの位置と、第２カテゴリに含まれる姿勢で集積部６０ａ−６０ｄに集積される紙葉類のセキュリティスレッドの位置が、集積部６０ａ−６０ｄ内で重ならないように、第１カテゴリ及び第２カテゴリを決定して設定することができる。
【００５９】
例えば、紙葉類の中心位置以外の場所で短手方向に沿って直線状のセキュリティスレッドが設けられている場合には、第１カテゴリに含まれる姿勢である集積部６０ａ−６０ｄに集積される紙葉類と第２カテゴリに含まれる姿勢で当該集積部６０ａ−６０ｄに集積される紙葉類では、紙葉類を長手方向に沿って見た場合にセキュリティスレッドの位置が異なるよう、第１カテゴリに含まれる姿勢及び第２カテゴリに含まれる姿勢を決定し設定することができる。より具体的には、図５（ａ）（ｂ）で示されるように、セキュリティスレッドが紙葉類の長手方向の右側に位置している姿勢を第１カテゴリとして設定することができ、図５（ｃ）（ｄ）で示されるように、セキュリティスレッドが紙葉類の長手方向の左側に位置している姿勢を第２カテゴリとして設定することができる。このように分類することで、第１カテゴリに含まれる姿勢である集積部６０ａ−６０ｄに集積される紙葉類のセキュリティスレッドと、第２カテゴリに含まれる姿勢で当該集積部６０ａ−６０ｄに集積される紙葉類のセキュリティスレッドが重ならない。
【００６０】
また、例えば、紙葉類の中心位置以外の場所で長手方向に沿って直線状のセキュリティスレッドが設けられている場合には、第１カテゴリに含まれる姿勢である集積部６０ａ−６０ｄに集積される紙葉類と第２カテゴリに含まれる姿勢で当該集積部６０ａ−６０ｄに集積される紙葉類では、紙葉類を短手方向に沿って見た場合にセキュリティスレッドの位置が異なるよう、第１カテゴリに含まれる姿勢及び第２カテゴリに含まれる姿勢を決定し設定することができる。より具体的には、図６（ａ）（ｂ）で示されるように、セキュリティスレッドが紙葉類の短手方向の上側に位置している姿勢を第１カテゴリとして設定することができ、図６（ｃ）（ｄ）で示されるように、セキュリティスレッドが紙葉類の短手方向の下側に位置している姿勢を第２カテゴリとして設定することができる。このように分類することで、第１カテゴリに含まれる姿勢である集積部６０ａ−６０ｄに集積される紙葉類のセキュリティスレッドと、第２カテゴリに含まれる姿勢で当該集積部６０ａ−６０ｄに集積される紙葉類のセキュリティスレッドが重ならない。
【００６１】
上述したように分類すれば、集積部６０ａ−６０ｄに集積された紙葉類を、ＡＴＭ等の紙葉類操出装置内に装填しても、ＡＴＭ等の紙葉類操出装置から紙葉類をスムーズに繰り出すことができる。
【００６２】
つまり、セキュリティスレッドを有する紙葉類を処理する場合に、従来の紙葉類処理装置のように紙葉類の表裏及び方向を揃えて集積すると、集積部６０ａ−６０ｄ内で各紙葉類のセキュリティスレッドが重なり合うことになり、集積部６０ａ−６０ｄに集積された紙葉類の厚みが一部分で厚くなってしまう（図８参照）。このため、集積部６０ａ−６０ｄで集積された紙葉類をＡＴＭ等の紙葉類操出装置内にそのまま装填すると、ＡＴＭ等の紙葉類操出装置からスムーズに紙葉類を繰り出すことができないという不都合が生じていた。
【００６３】
これに対して、本実施の形態によれば、セキュリティスレッドを有する紙葉類を処理する場合であっても、厚みが一部分で厚くなった状態で集積部６０ａ−６０ｄ内に紙葉類が集積されにくい。すなわち、本実施の形態によれば、ある集積部６０ａ−６０ｄ内に、第１カテゴリに含まれる姿勢で予め設定された枚数の紙葉類が集積されて、集積された紙葉類の一部分で少し厚みが厚くなるが（図７（ａ）参照）、その後に、当該集積部６０ａ−６０ｄ内に集積される紙葉類は第２カテゴリに含まれる姿勢で集積されるので、当該一部分と異なる他の部分で厚みが厚くなる。したがって、当該集積部６０ａ−６０ｄ内で集積された紙葉類の厚みが全体として均一化され（図７（ｂ）参照）、ＡＴＭ等の紙葉類操出装置内に集積部６０ａ−６０ｄで集積された紙葉類を装填しても、ＡＴＭ等の紙葉類操出装置から紙葉類をスムーズに繰り出すことができる。
【００６４】
隆起印刷を有する紙葉類を処理するときにも同様のことが当てはまる。すなわち、本実施の形態によれば、紙葉類処理装置が隆起印刷を有する紙葉類を処理するときには、第１カテゴリに含まれる姿勢で集積部６０ａ−６０ｄに集積される紙葉類の隆起印刷の位置と、第２カテゴリに含まれる姿勢で集積部６０ａ−６０ｄに集積される紙葉類の隆起印刷の位置が、集積部６０ａ−６０ｄ内で重ならないように、第１カテゴリ及び第２カテゴリを決定して設定することができる。
【００６５】
この場合にも、上述したセキュリティスレッドを有する紙葉類を処理する場合と同様の効果を奏することができる。つまり、本実施の形態によれば、隆起印刷を有する紙葉類を処理する場合であっても、厚みが一部分で厚くなった状態で集積部６０ａ−６０ｄ内に紙葉類が集積されにくく、集積部６０ａ−６０ｄで集積された紙葉類の厚みが全体として均一化される。このため、ＡＴＭ等の紙葉類操出装置内に集積部６０ａ−６０ｄで集積された紙葉類を装填しても、ＡＴＭ等の紙葉類操出装置から紙葉類をスムーズに繰り出すことができる。
【００６６】
ところで、セキュリティスレッドや隆起印刷を有する紙葉類を処理する場合には、第１カテゴリに含まれる姿勢で集積部６０ａ−６０ｄに集積される「予め設定された枚数」と、第２カテゴリに含まれる姿勢で集積部６０ａ−６０ｄに集積される「予め設定された枚数」が、同一枚数になっていることが好ましい。このような態様によれば、集積部６０ａ−６０ｄで集積された紙葉類の厚みを、より確実に均一にすることができるためである。
【００６７】
なお、紙葉類が紙幣である場合には、集積部６０ａ−６０ｄ内に金種別で紙幣を集積させることができる。この場合には、集積部６０ａ−６０ｄに集積される各金種の紙幣に関して、上述した各々の態様で集積部６０ａ−６０ｄに紙幣を集積させることができる。
【００６８】
つまり、集積部６０ａ−６０ｄに集積される各金種の紙幣に関して、紙幣の表裏を条件として第１カテゴリ及び第２カテゴリを決定したり、紙幣の方向を条件として第１カテゴリ及び第２カテゴリを決定したり、紙幣の表裏及び方向を条件として第１カテゴリ及び第２カテゴリを決定したり、セキュリティスレッドや隆起印刷が重ならないように第１カテゴリ及び第２カテゴリを決定したりすることができる。
【００６９】
また、紙葉類がセキュリティスレッドや隆起印刷を有する紙幣である場合であって、集積部６０ａ−６０ｄ内に集積された紙幣をＡＴＭに装填する場合のことを考えると、本実施の形態によれば、ＡＴＭに紙幣を装填する作業を容易にし、かつ、時間を短縮することができる。
【００７０】
すなわち、特許文献１に記載されているような従来の紙幣処理装置において、例えば１００枚毎の単位で、ＡＴＭに装填される紙幣のセキュリティスレッドや隆起印刷が重ならないようにするためには、集積部に１００枚の紙幣が集積された時点で搬送を停止し、集積される紙幣のセキュリティスレッドや隆起印刷が重ならないように紙幣の表裏及び／又は方向を変更し、再び搬送を開始して集積部に紙幣を集積するか、あるいは、集積部毎に、重ねても紙幣のセキュリティスレッドや隆起印刷が重ならないように異なる表裏及び／又は方向の紙幣が集積されるように設定し、集積部に例えば１００枚の紙幣が集積された時点で搬送を停止し、オペレータが自らの手で集積された紙幣を集積部６０ａ−６０ｄから抜き取り、束ねる必要があった。
【００７１】
そして、ＡＴＭには、通常、１金種について２０００枚から２５００枚の紙幣が装填される。このため、ＡＴＭにセキュリティスレッドや隆起印刷を有する紙幣を装填する場合には、上述したような作業を、１金種だけで２０００枚から２５００枚の紙幣に対して行う必要があった。したがって、従来の紙葉類処理装置では、多大な作業と多くの時間が必要であった。
【００７２】
これに対して、本実施の形態によれば、例えば１００枚毎の単位で、ＡＴＭに装填される紙幣のセキュリティスレッドや隆起印刷が重ならないように、集積部６０ａ−６０ｄに自動で紙幣を集積することができる。このため、ＡＴＭに紙幣を装填する作業を容易にし、かつ、時間を短縮することができる。
【００７３】
変形例１
上述の実施の形態では、収納部が、各紙葉類を単に集積して収納する集積部６０ａ−６０ｄである態様を用いたが、これに限られることはない。例えば、収納部は、結束用の紙葉類を収納するための結束用紙葉類集積部２１０ａ−２１０ｃであってもよい。この場合には、取込部１０で取り込まれた紙葉類が、集積部６０ａ−６０ｄに集積される代わりに、結束用紙葉類集積部２１０ａ−２１０ｃに集積されることとなる。
【００７４】
すなわち、取込部１０で取り込まれた紙葉類が、紙葉類の表裏及び／又は方向を条件として決定される第１カテゴリに含まれる姿勢である結束用紙葉類集積部２１０ａ−２１０ｃに集積され、第１カテゴリに含まれる姿勢で当該結束用紙葉類集積部２１０ａ−２１０ｃに集積された紙葉類の枚数が予め設定された枚数（例えば１００枚）になったときに、取込部１０で取り込まれた紙葉類が、紙葉類の表裏及び／又は方向を条件として決定される第２カテゴリに含まれる姿勢で当該結束用紙葉類集積部２１０ａ−２１０ｃに集積される。
【００７５】
変形例２
また、別の例としては、収納部は、結束された紙葉類束を収納する紙葉類束集積部２６０であってもよい。なお、収納部が紙葉類束集積部２６０である場合には、紙葉類束で束ねられる紙葉類の少なくとも表裏又は方向が揃っていることが前提となる。
【００７６】
この変形例においては、制御部５０は、紙葉類の表裏及び／又は方向を条件として決定される第１カテゴリに含まれる姿勢で紙葉類束を紙葉類束集積部２６０に収納させ、第１カテゴリに含まれる姿勢で紙葉類束集積部に収納された紙葉類束の本数が予め設定された本数（例えば１本）になったときに、紙葉類の表裏及び／又は方向を条件として決定される第２カテゴリに含まれる姿勢で紙葉類束を紙葉類束集積部２６０に収納させるよう、結束後搬送部２７０を制御する。
【００７７】
第２カテゴリに含まれる姿勢で紙葉類束を紙葉類束集積部２６０に収納させた後で、第１カテゴリに含まれる姿勢で紙葉類束を紙葉類束集積部２６０に収納させるか、別の第３カテゴリや第４カテゴリに含まれる姿勢で紙葉類束を紙葉類束集積部２６０に収納させるかは、上述した実施の形態と同様、適宜選択することができる。
【００７８】
本変形例においては、例えば、把持搬送部２７１が、水平方向に単純に移動可能となり、水平方向に移動しつつ上下が反転可能となり、水平面内で旋回可能となり、及び／又は、上下面内で旋回可能となる。把持搬送部２７１が水平方向に単純に移動する場合には、把持搬送部２７１で把持された紙葉類束は、その表裏及び方向は変わらず紙葉類束リフト部２７２に載置されることになる。把持搬送部２７１が水平方向に移動しつつ上下が反転可能となる場合には、把持搬送部２７１が水平方向に移動しつつ上下が反転することで、把持搬送部２７１で把持された紙葉類束は、その表裏のみが変わって紙葉類束リフト部２７２に載置されることになる。把持搬送部２７１が水平面内で旋回可能となっている場合には、把持搬送部２７１が水平面内で旋回することで、把持搬送部２７１で把持された紙葉類束は、その方向のみが変わって紙葉類束リフト部２７２に載置されることになる。把持搬送部２７１が上下面内で旋回可能となっている場合には、把持搬送部２７１が上下面内で旋回することで、把持搬送部２７１で把持された紙葉類束は、その表裏及び方向の両方が変わって紙葉類束リフト部２７２に載置されることになる。
【００７９】
紙葉類束内の紙葉類の表裏が揃っている場合には、把持搬送部２７１を水平方向（図２の左右方向）に単純にスライドさせることと、把持搬送部２７１を水平方向に移動しつつ上下を反転させるか、又は、把持搬送部２７１を上下面内で旋回させることで、紙葉類束集積部２６０内に集積される紙葉類束の表裏を切り替えることとなる。具体的には、紙葉類束の表面が上方を向いているときにおいて、紙葉類束を表面が上方を向いた状態で紙葉類束リフト部２７２に載置したい場合には、把持搬送部２７１を水平方向に単純にスライドさせて紙葉類束リフト部２７２に紙葉類束を載置すればよく、紙葉類束を裏面が上方を向いた状態で紙葉類束リフト部２７２に載置したい場合には、把持搬送部２７１を水平方向に移動しつつ上下を反転させるか、又は、把持搬送部２７１を上下面内で旋回させて、紙葉類束リフト部２７２に紙葉類束を載置すればよい。
【００８０】
また、紙葉類束内の紙葉類の方向が揃っている場合には、把持搬送部２７１を水平方向（図２の左右方向）に単純にスライドさせることと、把持搬送部２７１を水平面内で旋回させるか、又は、把持搬送部２７１を上下面内で旋回させることで、紙葉類束集積部２６０内に集積される紙葉類束の表裏を切り替えることとなる。具体的には、紙葉類束が一方向を向いているときにおいて、紙葉類束を一方向を向いた状態で紙葉類束リフト部２７２に載置したい場合には、把持搬送部２７１を水平方向に単純にスライドさせて紙葉類束リフト部２７２に紙葉類束を載置すればよく、紙葉類束を一方向とは逆の他方向を向いた状態で紙葉類束リフト部２７２に載置したい場合には、把持搬送部２７１を水平面内で旋回させるか、又は、把持搬送部２７１を上下面内で旋回させて、紙葉類束リフト部２７２に紙葉類束を載置すればよい。
【００８１】
ところで、異なる結束用紙葉類集積部２１０ａ−２１０ｃで、第１カテゴリに含まれる姿勢の紙葉類と、第２カテゴリに含まれる姿勢の紙葉類が別々に分けられて集積されている場合には、把持搬送部２７１が水平方向に単純に移動可能となっていれば十分であり、把持搬送部２７１が、水平方向に移動しつつ上下が反転可能となったり、水平面内で旋回可能となったり、上下面内で旋回可能となったりする必要はない。この場合には、必要とされるカテゴリの紙葉類を結束用紙葉類集積部２１０ａ−２１０ｃから選別して、結束前搬送部２２０が結束部２５０に搬送して、結束部２５０で必要とされるカテゴリの紙葉類束を生成すればよい。
【００８２】
変形例３
また、収納部は、各紙葉類を集積して収納する集積部６０ａ−６０ｄ、結束用紙葉類集積部２１０ａ−２１０ｃ、紙葉類束集積部２６０等ではなく、各紙葉類をテープで挟み込んで収納するテープリール式収納部３６０であってもよい。なお、テープリール式収納部３６０とは、紙葉類一枚一枚を、二つのテープの間に挟み込むことで収納するものである。その構成について、図９乃至図１１を用いて、説明する。なお、テープリール式収納部３６０の詳細な構成については、特開２００８−１２３０９３号公報で開示されていることから、詳細な説明は省略する。
【００８３】
図９及び図１０に示すように、テープリール式収納部３６０は、第１の下側テープ巻取りローラ３１１と、上側テープ巻取りローラ３２１と、第２の下側テープ巻取りローラ３３１と、を備えている。図９に示すように、上側テープ巻取りローラ３２１は、第１の下側テープ巻取りローラ３１１と第２の下側テープ巻取りローラ３３１との中間に配置されている。なお、これら第１の下側テープ巻取りローラ３１１、上側テープ巻取りローラ３２１及び第２の下側テープ巻取りローラ３３１は、テープ筐体３６１内に配置されている。
【００８４】
第１及び第２の下側テープ巻取りローラ３１１，３３１と上側テープ巻取りローラ３２１とは、共通のテープ巻取り軸３４１によって、一体に回転されるようになっている。図９に示すように、テープ巻取り軸３４１は、モータＭで正転方向および逆転方向に回動駆動される駆動軸ＭＳと、それ自体公知の種々の回転駆動伝達手段Ｇによって、回転駆動されるようになっている。
【００８５】
第１の下側テープ巻取りローラ３１１は、テープ巻取り軸３４１がテープ繰出し方向（紙葉類収納方向）に回転される際に、第１の下側テープ３１０を繰出すようになっており、テープ巻取り軸３４１がテープ巻取り方向（紙葉類繰出し方向）に回転される際に、第１の下側テープ３１０を巻取るようになっている。
【００８６】
上側テープ巻取りローラ３２１は、テープ巻取り軸３４１がテープ繰出し方向（紙葉類収納方向）に回転される際に、上側テープ３２０を繰出すようになっており、テープ巻取り軸３４１がテープ巻取り方向（紙葉類繰出し方向）に回転される際に、上側テープ３２０を巻取るようになっている。
【００８７】
第２の下側テープ巻取りローラ３３１は、テープ巻取り軸３４１がテープ繰出し方向（紙葉類収納方向）に回転される際に、第２の下側テープ３３０を繰出すようになっており、テープ巻取り軸３４１がテープ巻取り方向（紙葉類繰出し方向）に回転される際に、第２の下側テープ３３０を巻取るようになっている。
【００８８】
図１０に示すように、テープ筐体３６１には紙葉類出入口Ｐが設けられている。そして、当該紙葉類出入口Ｐに対向する位置には上述した搬送部７０の端部が位置している。また、テープ筐体３６１内であって紙葉類出入口Ｐに対向する位置には、上側ベルト３５０，３５５と下側ベルト３７０，３７５が設けられている。そして、搬送部７０と上側ベルト３５０，３５５及び下側ベルト３７０，３７５によって、テープ筐体３６１内に紙葉類を繰り入れたり、テープ筐体３６１内から紙葉類を繰り出したりすることができるようになっている。
【００８９】
図９及び図１０に示すように、第１及び第２の下側テープ３１０，３３０は、それぞれ、第１及び第２の下側テープ巻取りローラ３１１，３３１の周面から、案内ローラ３１２，３３２及び最終案内ローラ３１３，３３３を介して、紙葉類等巻取りローラ３１４の周面に至るようになっている。また、上側テープ３２０は、上側テープ巻取りローラ３２１の周面から、案内ローラ３２２及び最終案内ローラ３２３を介して、紙葉類等巻取りローラ３１４の周面に至るようになっている。紙葉類等巻取りローラ３１４は、紙葉類等巻取り軸３４４によって回転されるようになっている。紙葉類等巻取り軸３４４は、モータＭで正転方向および逆転方向に回動駆動される駆動軸ＭＳと、それ自体公知の種々の回転駆動伝達手段Ｇによって、回転駆動されるようになっている。
【００９０】
このように収納部がテープリール式収納部３６０であり、セキュリティスレッド又は隆起印刷を有する紙葉類を処理する場合には、本実施の形態によれば、紙葉類を挟み込んだあるテープ（例えば第１の下側テープ３１０）によって形成される巻き取り径と、他のテープ（例えば第２の下側テープ３３０）によって形成される巻き取り径とが異なってしまうことを防止することができる。
【００９１】
すなわち、セキュリティスレッドや隆起印刷を有する紙葉類をテープリール式収納部３６０で収納する場合に、セキュリティスレッドや隆起印刷の位置を考慮することなく収納すると、あるテープ（例えば第１の下側テープ３１０）によって形成される巻き取り径が、他のテープ（例えば第２の下側テープ３３０）によって形成される巻き取り径よりも大きくなってしまうことがある（図１１参照）。つまり、紙葉類のセキュリティスレッドや隆起印刷がテープリール式収納部３６０の幅方向（図９参照）で同じ側に偏ってしまうと、あるテープによって形成される巻き取り径が他のテープによって形成される巻き取り径よりも大きくなってしまい、例えば第１の下側テープ３１０で形成される巻き取り径が第２の下側テープ３３０で形成される巻き取り径よりも大きくなってしまう。このように第１の下側テープ３１０で形成される巻き取り径と第２の下側テープ３３０で形成される巻き取り径が異なると、第１の下側テープ３１０と第２の下側テープ３３０の繰り出し長さや巻き取りトルクに差が発生してしまい、紙葉類を正常に巻き取ることができなくなったり、巻き取った紙葉類の繰り出しに支障をきたしたりすることがある。
【００９２】
これに対して、本実施の形態では、第１カテゴリに含まれる姿勢でテープリール式収納部３６０に収納される紙葉類のセキュリティスレッドの位置と、第２カテゴリに含まれる姿勢でテープリール式収納部３６０に収納される紙葉類のセキュリティスレッドの位置が、テープリール式収納部３６０の幅方向で重ならないように決定して設定することができ、また、第１カテゴリに含まれる姿勢でテープリール式収納部３６０に収納される紙葉類の隆起印刷の位置と、第２カテゴリに含まれる姿勢でテープリール式収納部３６０に収納される紙葉類の隆起印刷の位置が、テープリール式収納部３６０の幅方向で重ならないように決定して設定することができる。このため、このようにセキュリティスレッド又は隆起印刷を有する紙葉類を処理する場合であっても、あるテープによって形成される巻き取り径と他のテープによって形成される巻き取り径とが異なってしまうことを防止することができる。この結果、本実施の形態によれば、テープリール式収納部３６０で紙葉類を正常に巻き取ることができなくなったり、巻き取った紙葉類をテープリール式収納部３６０から繰り出す際に支障が生じたりすることを防止することができる。
【００９３】
ところで、セキュリティスレッドや隆起印刷を有する紙葉類を処理する場合には、第１カテゴリに含まれる姿勢で集積部６０ａ−６０ｄに収納される「予め設定された枚数」と、第２カテゴリに含まれる姿勢で集積部６０ａ−６０ｄに収納される「予め設定された枚数」が、同一枚数になっていることが好ましい。このような態様によれば、紙葉類を挟み込んだテープ部分が一部分で厚くなってしまうことをより確実に防止することができるためである。なお、上述したように、本願における「予め設定された枚数」とは「１枚」でもよく、テープの間に挟み込まれる紙葉類のカテゴリは交互に異なってもよい。
【００９４】
ところで、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００９５】
１          筐体
１０        取込部
１１        載置部
５０        制御部
５１        カテゴリ設定部
５５        識別センサ
６０ａ−６０ｄ  集積部
７０        搬送部
９０        長手反転部
９５        短手反転部
２１０ａ−２１０ｃ  結束用紙葉類集積部
２５０      結束部
２６０      紙葉類束集積部
３６０      テープリール式収納部
Ｔ          テープ
【図１】
0005925602.tif 000002
【図２】
0005925602.tif 000003
【図３】
0005925602.tif 000004
【図４】
0005925602.tif 000005
【図５】
0005925602.tif 000006
【図６】
0005925602.tif 000007
【図７】
0005925602.tif 000008
【図８】
0005925602.tif 000009
【図９】
0005925602.tif 000010
【図１０】
0005925602.tif 000011
【図１１】
0005925602.tif 000012